(57)【要約】【課題】衛生的に飲料の販売等を行うことのできる飲料用搬送具を提供する。【解決手段】肩掛け３を備えた収納枠体５内に、飲料を収容した飲料容器７を着脱交換可能の容器取付部９を設け、上記飲料容器７と接続自在のホース１３を設け、このホース１３の出口１５付近に当該ホース１３を閉止自在の開閉具１７を備えており、前記ホース１３に対して前記開閉具１７を着脱交換自在に設け、かつ前記飲料容器７を加圧するための加圧手段を備えた構成である。【選択図】　　　図１
2004018102.tif 000002
【特許請求の範囲】
【請求項１】
肩掛けを備えた収納枠体内に、飲料を収容した飲料容器を着脱交換可能の容器取付部を設け、上記飲料容器と接続自在のホースを設け、このホースの出口付近に当該ホースを閉止自在の開閉具を備えたことを特徴とする飲料用搬送具。
【請求項２】
請求項１に記載の飲料用搬送具において、前記ホースに対して前記開閉具を着脱交換自在に設けたことを特徴とする飲料用搬送具。
【請求項３】
請求項１又は２に記載の飲料用搬送具において、前記飲料容器を加圧するための加圧手段を備えたことを特徴とする飲料用搬送具。
【発明の詳細な説明】
【０００１】
【発明の属する技術分野】
本発明は、例えば野球場などのごとく、人々が多く集まる場所において、例えばジュース、お茶類等の飲料を配給、販売する際の飲料用搬送具に係り、さらに詳細には、衛生上の問題を生じることのない飲料用搬送具に関する。
【０００２】
【従来の技術】
従来、例えばジュースや紅茶等の飲料は、缶ジュース等のように、比較的小さな容器に入れて販売しているのが一般的である。人が多く集まる場所で、飲料を比較的大きな容器に入れた状態で搬送し、各個人に小売りしようとする場合には、例えば薬缶などのごとき適宜の容器に飲料を入れ、紙コップ等によって小売することも考えられるが、飲料の搬送の容易性や紙コップ等に注入する場合の注入の容易性，衛生上の問題等を考慮すると問題がある。
【０００３】
【発明が解決しようとする課題】
そこで、背負枠にタンク等を取付け、このタンクに飲料を入れ、かつタンクに接続したホースから飲料を紙コップ等に注ぐことも考えられるが、飲料等をタンクに入れる作業が厄介であるばかりでなく、衛生上の問題を考慮してタンクやホース等を洗浄する必要がある。また、気候の変化によって、午前と午後において飲料の種類が変化するような場合には、対応が困難であるという問題がある。
【０００４】
【課題を解決するための手段】
本発明は、前述のごとき問題に鑑みてなされたもので、請求項１に係る発明は、肩掛けを備えた収納枠体内に、飲料を収容した飲料容器を着脱交換可能の容器取付部を設け、上記飲料容器と接続自在のホースを設け、このホースの出口付近に当該ホースを閉止自在の開閉具を備えた構成である。
【０００５】
請求項２に係る発明は、請求項１に記載の飲料用搬送具において、前記ホースに対して前記開閉具を着脱交換自在に設けた構成である。
【０００６】
請求項３に係る発明は、請求項１又は２に記載の飲料用搬送具において、前記飲料容器を加圧するための加圧手段を備えた構成である。
【０００７】
【発明の実施の形態】
図１を参照するに、本発明の実施の形態に係る飲料用搬送具１は、背中に背負って又は腹側に抱くようにして搬送（運搬）するために、肩掛け３を備えた収納枠体５内に、例えばジュース、紅茶等の原液を収容した飲料容器７を着脱交換可能の容器取付部９を備えている。
【０００８】
上記収納枠体５は、単なる枠体の構成とすることも可能であるが、前記飲料容器７内の飲料の温度をほぼ一定に保持するために開閉可能の箱形状とすることが望ましく、例えば内面等に保温材を設けることも可能である。さらには、例えば氷、ドライアイス等のごとき冷却剤や適宜に加熱した状態の加温剤等を収納することも可能である。
【０００９】
前記飲料容器７は、例えばジュース、紅茶等の原液を収納した容器であって、柔らかい樹脂により構成してあり、１部には閉止した状態の長いパイプ状の出口７Ｐを備えた構成である。この飲料容器７からの飲料の取り出しは、前記パイプ状の出口７Ｐを挟み、ナイフ等の切断工具により切断することにより行われるものである。
【００１０】
前記容器取付部９は、前記飲料容器７の出口７ｐが下側となるように、飲料容器７を直接に又は飲料容器７を収納しているケースを取付けるものであって、飲料容器７を直接取付ける場合には、当該飲料容器７を収納自在の箱状の構成とすることが望ましい。前記ケースを取付ける構成の場合には、ベルト等の締付け固定具によってケースを固定する構成とすることができる。
【００１１】
前記飲料容器７内の飲料を外部に取出すために、前記パイプ状の出口７ｐには、パイプ状の接続具１１を介してホース１３が着脱交換可能に接続してあり、このホース１３の出口１５付近には、当該ホース１３を閉止自在の開閉具１７が着脱交換自在に設けられている。なお、前記パイプ状の出口７ｐとホース１３は、接続具１１を介することなく直接接続することも可能である。
【００１２】
前記ホース１３は、例えばゴムホース等のように柔軟な樹脂（ゴムでも可）よりなるものであって、軸方向に対して直交する方向（径方向）に押し潰しすことにより、容易に内部を閉じて連通を閉止できるものである。
【００１３】
前記開閉具１７は、図２に示すように、前記ホース１３を保持するためのパイプ状のホース保持部材１９Ａ、１９Ｂを両端側に備えた柄部材２１を備えている。上記柄部材２１はＵ字形状の溝を備えて断面形状が逆Ｕ字形状をした構成であって、上記構内に前記ホース保持部材１９Ａ、１９Ｂが取付けてあるものである。
【００１４】
そして、前記ホース１３の閉止を行うために、前記柄部材２１には、先端部にホース１３を押し潰し自在の押圧部２３を備えた開閉レバー２５がヒンジピン２７を介して回動自在に取付けてあり、例えばトーションスプリング等の付勢手段（図示省略）によって、前記開閉レバー２５は、前記押圧部材２３によって前記ホース１３を、柄部材２１の溝部の底部方向へ押圧して、押し潰して閉止した状態を保持するように常に付勢されている。
【００１５】
以上のごとき構成において、付勢手段の付勢力に抗して開閉具１７の開閉レバー２５を握り締め、押圧部２３と柄部材２１の溝部の底との間隔を広げた状態において、ホース１３をホース保持部１９Ａ、１９Ｂに挿入することにより、前記ホース１３に対して開閉具１７が相対的に着脱可能に取り付けられる。そして、常態においては、付勢手段の付勢力によって前記押圧部２３がホース１３を押し潰してホース１３の連通を遮断した状態、すなわち閉止した状態にある。
【００１６】
前述のごとく、ホース１３に開閉具１７を取付けた状態において、前記収納枠体５の容器取付部９に飲料容器７を収納又は取付けた後、飲料容器７に備えたパイプ状の出口７Ｐを切断工具によって切断し、この出口７Ｐとホース１３を接続することにより、図１に示すごとき状態となるものである。この際、出口７Ｐから飲料が出るおそれがある場合には適宜クリップによって出口７Ｐのパイプを押し潰せば良いものである。
【００１７】
また、例えば飲料容器７のパイプ状の出口７Ｐが上側となるように、上記飲料容器７を適宜の支持台（図示省略）上に載置し、前記収納枠体５を開いた状態において上下逆にし、容器取付部９に前記飲料容器７を収納し取付ける。その後、前記出口７Ｐを切断工具によって切断し、接続具１１を介して、又は直接に前記出口７Ｐとホース１３を漏れのないように接続することも可能である。
【００１８】
その後に、肩掛け３を肩に掛けることにより、収納枠体５を背負うこと、又は腹側に抱くことができる。前記収納枠体５を例えば背負った状態において、前記開閉具１７の開閉レバー２５を操作して、押圧部２３によるホース１３の閉止（遮断）を解除することにより、ホース１３の出口１５から飲料容器７内の飲料を流出させることができる。この際、出口１５からの飲料の流出は自重による自然流化によるものである。
【００１９】
したがって、飲料容器７内に飲料が充分に入っている場合にはさほど問題にはならないが、前記飲料容器７内の飲料の量が少なくなると、飲料の出が次第に悪くなる傾向にある。
【００２０】
そこで、前記飲料容器７を加圧するための加圧手段を設けることが望ましい。上記加圧手段として、重りを用いて前記飲料容器７を加圧する構成とすることも可能であるが、この場合には、収納枠体５を背負ったときに、重りの重量が負荷となるので、例えばスプリング等を利用した構成とすることが望ましい。
【００２１】
図３を参照すると、飲料容器７を加圧するために、前記容器取付部９の左右の側板９Ｄには、逆Ｌ字形状の上下方向の長孔２９が形成してあり、この長孔２９には、前記容器取付部９内に上下動自在に備えた板状の加圧部材３１の上面に当接した棒状の押圧部材３３の両端部が上下動自在に係合してある。そして、前記押圧部材３３の両端部は、前記容器取付部９の左右の側板９Ｐの外側に設けた連結部材３５に連結してあり、この連結部材３５には、下方向へ付勢したスプリング３７が連結してある。
【００２２】
したがって、押圧部材３３を、長孔２９の係止部２９Ａから上下方向の長孔２９の位置へ移動することにより、容器取付部９内の前記飲料容器７は加圧手段における加圧部材３１によって加圧されるものであり、飲料容器７内の飲料が少なくなった場合であっても、飲料の出が悪くなることを抑制することができるものである。
【００２３】
なお、上記説明においては、飲料容器７を上側から加圧する場合について説明したが、左右両側や後側など水平方向から加圧する構成や、下側から加圧する構成とすることも可能である。
【００２４】
既に理解されるように、収納枠体５の容器取付部９に対して原液の飲料容器７を着脱可能に取付けるものであるから、タンク等の容器が不要であって原液の詰め替え等が不要であり、衛生を良好に保持できるものである。また、飲料容器７とホース１３は着脱可能に接続するものであるから、例えばホース１３を新しいホースと着脱交換して使用できるので、飲料容器７内の飲料の種類が変った場合であっても容易に対応可能であると共にホース１３の衛生状態を良好に保持できるものである。
【００２５】
さらに、開閉具１７はホース１３に対して着脱交換自在であるから、飲料容器７やホース１３を次々に交換するような場合であっても、各ホース１３に対して開閉具１７を装着して使用することができるものであって、収納機構５及び開閉具１７を共通化することができ、コストダウンを図ることができるものである。
【００２６】
【発明の効果】
以上のごとき説明より理解されるように、本発明によれば、収納枠体の容器取付部に対して飲料容器を交換して取付けることができると共に、交換した飲料容器に対してホースを交換して接続することができるので、全体の衛生向上を図ることができるものである。また、交換したホースに対して開閉具を装着して使用することができるので、共通化が可能であってコストダウンを図ることができるものである。
【図面の簡単な説明】
【図１】本発明の実施の形態に係る飲料用搬送具を概念的に示した全体説明図である。
【図２】開閉具の説明図である。
【図３】加圧手段の説明図である。
【符号の説明】
１…飲料用搬送具
３…肩掛け
５…収納枠体
７…飲料容器
７Ｐ…出口
９…容器取付部
９Ｐ…側板
１１…接続具
１３…ホース
１５…出口
１７…開閉具
１９Ａ，Ｂ…ホース保持部
２１…柄部材
２３…押圧部
２５…開閉レバー
３１…加圧部材
３７…スプリング
【図１】
2004018102.tif 000003
【図２】
2004018102.tif 000004
【図３】
2004018102.tif 000005